(57)【特許請求の範囲】
【請求項１】
インサートにネジ止め自在なボルト部と、複数のケーブルを同時に支持する支持腕とで構成された支持金具において、該支持腕に装着する合成樹脂製のカバー体を形成し、該カバー体を介した支持腕上にケーブルを支持するように構成し、該カバー体の支持腕の先端部の位置に、係止したケーブルの落下を防止する係止突起を立設し、前記支持金具の前記支持腕は直線状を成した棒状の金属材にて形成され、前記ボルト部は全ネジボルトで形成され、支持腕の長手中央部にボルト部の下端が溶接されて逆Ｔ字状の支持金具を成すように構成されたことを特徴とするケーブル支持金具。
【請求項２】
前記カバー体は、前記ボルト部を貫通せしめると共に該ボルト部の下部を被覆する筒状部と、前記支持腕の上側面に沿って被覆するカバー部とで構成され、該カバー部の先端に前記係止突起を形成した請求項１記載のケーブル支持金具。
【請求項３】
前記カバー部は、前記支持腕の上面を被覆する断面逆Ｕ字形状を成し、該カバー部の下端に、前記支持腕を両側から挟着せしめる固定部を形成し、該固定部をカバー部の長手方向に沿って複数形成した請求項２記載のケーブル支持金具。
【発明の詳細な説明】
【技術分野】
【０００１】
本発明は、主にケーブル量の多い箇所に使用するケーブル支持金具に係り、天井の懐の低い箇所でも使用可能なケーブル支持金具に関するものである。
【背景技術】
【０００２】
マンション等の配線工事において、居室内の廊下部などケーブル量の多い箇所では、Ｌ字状に形成された支持金具が使用されている。このＬ字状の支持金具は、廊下部など天井の懐の低い箇所に使用することができ、しかもケーブルが束にならずに配線できる利点がある。すなわち、ケーブルが束になると放熱を妨げる状況となり、過熱し事故につながるおそれがあるが、Ｌ字状の支持金具にケーブルを広げて支持することで、過熱するおそれは解消されるものである。しかも最近は、オール電化住宅と称し、調理、給湯、空調（冷暖房）などのシステムを全て電気で行う住宅が多くなっている傾向から、支持金具に支持するケーブル量や支持金具自体の使用量も増加している。
【０００３】
このような支持金具を使用する場合、スラブに打込まれたインサートＰに支持金具のネジ部をねじ込み、このネジ部から水平に延長された腕部にケーブルを支持する作業になる。そのため、Ｌ字状の支持金具を近接して増設しようとすると、この水平に延長された腕部が互いに干渉しぶつかり合うなど、支持金具を増設する際に不都合が生じるケースがあった。しかも、支持金具を増設するには、増設分のインサートをスラブに別途設置することになるので、増設作業が更に増大することになる。そこで、一箇所の支持位置に、できるだけ多数のケーブルを支持することが可能な支持金具が求められている。
【０００４】
特許文献１は、当出願人が先に提案したケーブル間隔保持具である。このケーブル間隔保持具は、Ｌ字金具の腕部とネジ部との間に挟着して使用するもので、Ｌ字金具の腕部に複数本のケーブルを合理的に支持するように構成されたものである。このケーブル間隔保持具は、多数のケーブルを整列した状態で支持することができる。
【０００５】
一方、特許文献２に記載されている配線の受け具には、逆Ｔ字型の支持金具が提案されている。この逆Ｔ字型の支持金具は、Ｌ字状の支持金具に比べてより多くのケーブルを支持することができる。
【先行技術文献】
【特許文献】
【０００６】
【特許文献１】特許第２９０９８８９号公報
【特許文献２】特開２００４−２３６４９９号公報
【発明の概要】
【発明が解決しようとする課題】
【０００７】
特許文献１の支持金具によると、多数のケーブルを整列した状態で支持することは可能であるが、特許文献２に記載の支持金具のように、多数のケーブルを支持することは困難である。
【０００８】
一方、特許文献２に記載されている逆Ｔ字型の受具は、Ｌ字状の支持金具に比べて多数のケーブルを支持することが可能になる。ところが、逆Ｔ字型の受具を従来のＬ字状支持金具と同様に金属材で製造しようとすると、絶縁加工が困難になるなど、製造コストが極めて高くなる不都合が生じる。
【０００９】
すなわち、従来のＬ字状の支持金具には、支持したケーブルの落下を防止するために、腕部の端部を上方へ向けて折り曲げ加工している。しかも、金属製の支持金具は、ケーブルが直接接触しないように、絶縁を目的として塩化ビニル製のチューブが被覆されている。ところが、この被覆チューブは、端部が折り曲がった支持金具を被覆チューブの中に通すことで装着するので、従来のＬ字状の支持金具では、この装着作業が困難な作業になっており、製造コストが掛かるものであった。また、被覆コーティングを施す方法もあるが、支持金具をコーティング層に浸漬させ、焼付けを施すため工程が多く、製造コストが掛かってしまう。
【００１０】
このようにＬ字状の支持金具でも困難な装着作業を、特許文献２に記載されている逆Ｔ字型の金属製の受具に施す場合は、ケーブルに接するネジ部とその両側の腕部とに、それぞれ被覆チューブを装着する必要がある。この際、ネジ部の下端部を覆う被覆チューブと腕部の両側を覆う被覆チューブを用いても、腕部のネジ部を溶接した中央部分までは被覆することができず、腕部中央の金属が剥き出した状態になってしまう。そこで、この剥き出た中央部分に改めて絶縁を施す必要が生じる。このため、被覆作業が更に困難にならざるを得ず、製造コストもより増大することになる。
【００１１】
特許文献２によると、逆Ｔ字型の受具に絶縁を施すために、合成樹脂材の中に金属材を組み合わせた構造を採用している。ところが、この受具をインサートＰに連結する場合、まず、インサートＰに吊りボルトを連結し、次に、この吊りボルトに合成樹脂製の受具を連結する作業になる。そのため、この逆Ｔ字型の受具は、従来のＬ字状の支持金具のように、廊下部など天井の懐の低い箇所に使用することはできない。しかも、吊りボルトを連結した上で、更に合成樹脂製の受具を吊りボルトに連結する作業が必要になるので、連結作業が二度手間となり、金属製のＬ字状の支持金具に比べると安全性の課題も残る。
【００１２】
そこで、本発明は上述の課題を解消すべく創出されたもので、ケーブル量が多く天井の懐の低い箇所等に使用することができ、しかも、安全な使用が可能な金属製の支持金具を極めて安価に製造できるケーブル支持金具の提供を目的とするものである。
【課題を解決するための手段】
【００１３】
上述の目的を達成すべく本発明における第１の手段は、インサートＰにネジ止め自在なボルト部１と、複数のケーブルＣを同時に支持する支持腕２とで構成された支持金具において、該支持腕２に装着する合成樹脂製のカバー体３を形成し、該カバー体３を介した支持腕２上にケーブルＣを支持するように構成し、該カバー体３の支持腕２の先端部の位置に、係止したケーブルＣの落下を防止する係止突起３Ａを立設し、前記支持金具の前記支持腕２は直線状を成した棒状の金属材にて形成され、前記ボルト部１は全ネジボルトで形成され、支持腕２の長手中央部にボルト部１の下端が溶接されて逆Ｔ字状の支持金具を成すように構成したことにある。
【００１５】
第２の手段において、前記カバー体３は、前記ボルト部１を貫通せしめると共に該ボルト部１の下部を被覆する筒状部３Ｃと、前記支持腕２の上側面に沿って被覆するカバー部３Ｂとで構成され、該カバー部３Ｂの先端に前記係止突起３Ａを形成する。
【００１６】
第３の手段の前記カバー部３Ｂは、前記支持腕２の上面を被覆する断面逆Ｕ字形状を成し、該カバー部３Ｂの下端に、前記支持腕２を両側から挟着せしめる固定部３Ｄを形成し、該固定部３Ｄをカバー部３Ｂの長手方向に沿って複数形成したことを課題解消のための手段とする。
【発明の効果】
【００１７】
本発明の請求項１によると、支持腕２に装着する合成樹脂製のカバー体３を形成し、該カバー体３を介した支持腕２上にケーブルＣを支持するように構成し、該カバー体３の支持腕２の先端部の位置に、係止したケーブルＣの落下を防止する係止突起３Ａを立設したことにより、カバー体３によって支持金具の絶縁を極めて簡単に行えるものである。この結果、金属製の支持金具に被覆チューブ及び被覆コーティングを装着するといった従来の困難な作業は必要なくなり、安全な使用が可能な金属製の支持金具を極めて安価に製造できるようになった。
【００１８】
また、支持腕２は直線状を成した棒状の金属材にて形成され、ボルト部１は全ネジボルトで形成され、支持腕２の長手中央部にボルト部１の下端が溶接されて逆Ｔ字状の支持金具を成すように構成されているので、天井の懐の低い箇所にも使用することが可能で、一箇所でも多数のケーブルＣを同時に係止することができる。しかも、支持腕２は直線状を成した棒状の金属材にて形成されているから、従来のように、端部に施す折り曲げ加工の必要はない。この結果、逆Ｔ字状の支持金具の製造も容易になり、更に安価な提供が可能になる。
【００１９】
請求項２のように、カバー体３は、前記ボルト部１を貫通せしめると共に該ボルト部１の下部を被覆する筒状部３Ｃと、前記支持腕２の上側面に沿って被覆するカバー部３Ｂとで構成され、該カバー部３Ｂの先端に前記係止突起３Ａを形成しているから、カバー体３の装着が極めて容易で、しかも、逆Ｔ字状のボルト部１や支持腕２と組み合わせることで、金属製の支持金具と同じ支持強度を有し安全な使用が可能になる。
【００２０】
請求項３のごとく、カバー部３Ｂの下端に、前記支持腕２を両側から挟着せしめる固定部３Ｄを形成し、該固定部３Ｄをカバー部３Ｂの長手方向に沿って複数形成したことにより、カバー体３の安定性を高め、使用時におけるカバー体３のずれ等を防止できるので、より安全な使用が可能である。
【図面の簡単な説明】
【００２１】
【図１】本発明の一実施例を示す分解斜視図である。
【図２】本発明の一実施例を示す断面図である。
【図３】本発明の固定部を示す側断面図である。
【図４】本発明の使用状態を示す正面図である。
【図５】本発明の他の実施例を示す正面図である。
【図６】本発明の他の実施例を示す正面図である。
【図７】本発明の他の実施例を示す正面図である。
【発明を実施するための形態】
【００２２】
本発明によると、金属製の支持金具と同等の支持強度を有し安全な使用が可能になり、しかも、天井の懐の低い箇所にも使用することが可能で、安価に提供できるなどといった当初の目的を達成した。
【実施例】
【００２３】
以下、本発明の実施例を説明する。本発明の基本構成は、ボルト部１、支持腕２、カバー体３にて構成されている（図１参照）。
【００２４】
ボルト部１は、スラブに打込まれたインサートＰにネジ止めする部材で（図４参照）、このボルト部１の下端部に支持腕２が連結されている（図１参照）。図示のボルト部１は全ネジボルトで形成されている。また、ボルト部１はこの他、ネジ止めする部分にのみネジ山を形成した棒状に設けることも可能である。
【００２５】
支持腕２は、複数のケーブルＣを同時に支持する部材で、ボルト部１の下端に設けられている（図１参照）。図示例では直線的な棒状の金属材にて形成されている。そして、支持腕２の長手中央部にボルト部１の下端が溶接されて逆Ｔ字状を成すように構成されている。したがって、支持腕２の先端部は支持腕２の他の部分と同じストレート状に形成されており、従来のＬ字状の支持金具のように、腕部の端部を上方へ向けた折り曲げ加工はない。このような直線的な支持腕２を使用することで、例えば、前述の如く、一部にネジ山を形成した棒状のボルト部１を屈曲してＬ字形状の支持腕２を形成することも可能である（図示せず）。
【００２６】
カバー体３は、該支持腕２に装着する合成樹脂製の部材である（図１参照）。図示例では、支持腕２とボルト部１の下部とに装着するように構成し（図２参照）、このカバー体３を介した支持腕２上にケーブルＣを支持する（図４参照）。このカバー体３は、更に、係止突起３Ａ、カバー部３Ｂ、筒状部３Ｃ、固定部３Ｄにて構成されている（図１参照）。
【００２７】
係止突起３Ａは、カバー体３の支持腕２の先端部に位置する部分に立設されたもので、係止したケーブルＣの落下を防止するように設けられている（図２参照）。このとき、係止突起３Ａと平行なセパレーター３Ｅを形成し、後述するカバー部３Ｂ上に立設するように構成することで、例えば、種類や太さ別にケーブルＣを支持することが可能になる（図５参照）。また、係止突起３Ａと平行に多数の間隔保持具３Ｆを形成し、この間隔保持具３Ｆをカバー部３Ｂ上に立設すると、複数本のケーブルを整列した状態で支持することが可能になる（図６参照）。
【００２８】
カバー部３Ｂは、支持腕２の上側面に沿って被覆する部分で、図示例では断面逆Ｕ字形状を成しており、支持腕２の上から被せるように設けている（図１参照）。更に、カバー部３Ｂの下面に固定部３Ｄを設けてあり、支持腕２に被せたカバー部３Ｂを支持腕２に確実に固定するものである。この固定部３Ｄは、カバー部３Ｂの下端に設けられており、支持腕２を両側から挟着せしめるように構成され（図３参照）、カバー部３Ｂの長手方向に沿って複数形成されている（図４参照）。
【００２９】
筒状部３Ｃは、ボルト部１を貫通せしめると共に該ボルト部１の下部を被覆する筒状を成している（図２参照）。図示例では、筒状部３Ｃとカバー部３Ｂとを一体に成形したもので、筒状部３Ｃにボルト部１を通し、支持腕２にカバー部３Ｂを被せるだけの作業で、カバー体３の装着が完了する（図１参照）。また、筒状部３Ｃの上端部から係止突起３Ａに至る蓋３Ｇを設けることで、支持腕２上のケーブルＣの脱落をより確実に防止することが可能になる（図７参照）。
【産業上の利用可能性】
【００３０】
本発明の実施例において、主に廊下部など天井の懐の低い箇所に使用するのに好適であるが、使用場所はこの例に限定されるものではなく、インサートＰを使用している場所ならどのような場所でも使用可能である。また、ボルト部１は、スラブに打込まれたインサートＰにネジ止めする他、ボルト部１の連結が可能な他の施設や装置に使用することもできる。
【符号の説明】
【００３１】
Ｃ  ケーブル
Ｐ  インサート
１  ボルト部
２  支持腕
３  カバー体
３Ａ  係止突起
３Ｂ  カバー部
３Ｃ  筒状部
３Ｄ  固定部
３Ｅ  セパレーター
３Ｆ  間隔保持具
３Ｇ  蓋
【図１】
0005146889.tif 000002
【図２】
0005146889.tif 000003
【図３】
0005146889.tif 000004
【図４】
0005146889.tif 000005
【図５】
0005146889.tif 000006
【図６】
0005146889.tif 000007
【図７】
0005146889.tif 000008